(57)【要約】【課題】回収物を回収物回収袋に入れて回収する。【解決手段】車輌本体１ａの下部に取り付けられて路面などの回収物１４を掻き上げる回転メインブラシ４と、該回転メインブラシ４の車両進行方向前側に取込口６ａを介して接続するホッパー６と、回転メインブラシ４によって掻き上げられた回収物１４をホッパー６に吸い込んで集積させるようにホッパー６の下流にフィルタ１０を介して配置されるブロア１３と、該ブロア１３によって排出された排気風を回転メインブラシ４側に戻すダクト１２ａとを備え、取込口６ａに回収物１４を吸い込む時は開く開閉ゲート８を設け、回収物１４を放出する時には開閉ゲート８を閉じた状態でホッパー６を上方に回動させる清掃車１において、上記開閉ゲート８に開口１８を設け、該開口１８の外面にシュート１９を設けるとともに、該シュート１９の外端２０にシャッター２１を設けた。【選択図】　　　　　図１
2004052296.tif 000002
【特許請求の範囲】
【請求項１】
車輌本体の下部に取り付けられて路面などの回収物を車両進行方向前側に掻き上げる回転メインブラシと、該回転メインブラシの車両進行方向前側に取込口を介して接続するホッパーと、上記回転メインブラシによって掻き上げられた回収物をホッパーに吸い込んで集積させるようにホッパーの下流にフィルタを介して配置されるブロアと、該ブロアによって排出された排気風を上記回転メインブラシ側に戻すダクトとを備え、上記取込口に回収物を吸い込む時は開く開閉ゲートを設け、回収物を放出する時には開閉ゲートを閉じた状態でホッパーを上方に回動させる清掃車において、上記開閉ゲートに開口を設け、該開口の外面にじょうご状のシュートを設けるとともに、該シュートの外端にシャッターを設けたことを特徴とする清掃車。
【請求項２】
車両進行方向の前方側部に位置する回収物を車両幅方向中央に寄せるように回転メインブラシの車両進行方向前側に配置される回転サイドブラシを備えた請求項１記載の清掃車。
【請求項３】
ホッパー内に吸い込んだ回収物を放出する時、開閉ゲートおよびシャッターを閉めた状態でホッパーを上方に回動してシュートの外端を下方に向け、かつ、シュートの外端に回収物回収袋の口部を嵌めて固縛した後、シャッターのみを開いて回収物回収袋内に回収物を放出するようにした請求項１および請求項２記載の清掃車。
【請求項４】
上記回収物回収袋は、通気性のある袋である請求項１ないし請求項３記載の清掃車。
【請求項５】
上記じょうご状のシュートの外端は円筒状である請求項１ないし請求項４記載の清掃車。
【発明の詳細な説明】
【０００１】
【発明の属する技術分野】
本発明は、路面や工場、公共施設などの床面を清掃するための清掃車に関するものである。
【０００２】
【従来の技術】
路面や工場、公共施設などの床面を清掃するために、従来から清掃車が使用されている。図７ないし図１０は従来の清掃車の図であり、図７は従来の清掃車の側面図で、清掃車が清掃している状態を示す図である。図８は従来の清掃車の側面図で、清掃車が収集した回収物を所定の場所に放出した状態を示す図である。図９はホッパーの概要図で、（Ａ）はホッパーの側面図、（Ｂ）はホッパーの断面図である。図１０は清掃車の給排気の流れを示す図である。なお、本清掃車は、本願出願人によって特許出願中（未公開）である（特願２０００−３８７３７４号）。
【０００３】
図７ないし図１０において、１は清掃車で、１ａは清掃車１の車輌本体、１ｂは清掃車１の前方部分である。２は車輌本体１の車両進行方向前側の前方部分１ｂに設けられた２個の前輪である。３は車輌本体１の車両進行方向後側に設けられた１個の後輪である。前輪２と後輪３は、いずれも図示しない駆動源によって駆動される。４は前輪２と後輪３との間の車両進行方向の中央下部に、軸芯が車両幅方向に取り付けられた回転メインブラシで、駆動部４ａによって駆動される。回転メインブラシ４は、車両進行方向左側から見て時計方向に回転して路面や工場、公共施設などの床面のごみなどの回収物１４を車両進行方向前側に掻き上げる。５は車両本体１ａの前方部分１ｂの前方左側部に取り付けた回転サイドブラシで、駆動部５ａによって駆動される。回転サイドブラシ５は、車両進行方向前側がわずかに下方になるように傾斜していて水平方向に回転して路面の車両進行方向の前方側部の回収物１４を車両幅方向中央に掻き寄せる。清掃車１が清掃作業中は、回転メインブラシ４および回転サイドブラシ５は、図示しない昇降機構によって路面にわずかに接触するように降下され、清掃が終了して移動する時は、昇降機構によって路面から離れるように上昇される。
【０００４】
６は回転メインブラシ４の車両進行方向前側に位置し、前方部分１ｂに取り付けられたホッパー（回収物収納部）である。６ａはホッパー６の取込口である。上記回転サイドブラシ５は、このホッパー６の車両進行方向前側の左側の下面に取り付けられている。
【０００５】
７は車輌本体１ａの前方部分１ｂおよびホッパー６を支持する逆くの字状のアームで、一端は車両本体１ａの車両進行方向前側の前面上部に枢着され、他端部は清掃車１の前方部分１ｂの側部に固着されている。アーム７は、図示しないアーム回動用シリンダの伸縮によって回動可能になっていて、前方部分１ｂは図７の状態から図８の状態のように上方に回動する。７ａはアーム７の中間と、図示しないアーム回動用シリンダのロッドの先端とを連結するピンである。
【０００６】
８はホッパー６の取込口６ａに車両幅方向に設けた開閉ゲートである。開閉ゲート８の上端は、ホッパー６の取込口６ａの上縁の車両幅方向に設けた回動可能なロッド９ｂによって支持されており、また、上端をホッパー６の背面に取り付け、下端を開閉ゲート８の外面に取り付けたばね１７が設けられている。開閉ゲート８は、回収物１４を吸い込む時はばね１７に引っ張られて開いており、回収物１４をホッパー６内に集積して閉める時はゲート開閉用シリンダ９のロッドを伸長し、ばね１７ｃの引張力に抗して閉めるようになっている。ゲート開閉用シリンダ９は、ホッパー６の側壁の外面に取り付けられている。９ａは上端をゲート開閉用シリンダ９のロッドの先端に連結したアームで、下端は開閉ゲート８を支持するロッド９ｂの一端に固着されている（図９）。
【０００７】
１０はホッパー６の中間に設けた集塵用フィルタである。１１はホッパー６の上端の後壁に設けた吸引ダクトである。１２は車両本体１ａの車両進行方向前側に設けた吸引ダクトで、後端はブロア１３に連結されている。吸引ダクト１１の後端と吸引ダクト１２の先端は、ホッパー６で回収物１４を吸い取り作業中は、当接して接続しており、回収物１４を放出するためホッパー６がアーム７により上方に回動すると吸引ダクト１１は吸引ダクト１２から分離する。１２ａは上端をブロア１３に連結し、下端を回転メインブラシ４側に向けて配設した排気ダクトである。
【０００８】
１５はホッパー６の取込口６ａの下縁の車両幅方向に設けた前方ラバープレートであり、１５ａは回転メインブラシ４の後方の車両本体１ａの車両幅方向に設けた後方ラバープレートである。前方ラバープレート１５、後方ラバープレート１５ａの下端は、清掃作業中は路面にわずかに接触している。１６は車両本体１ａの車両両側壁に設けた側方ラバープレートでである。
【０００９】
上記清掃車１で路面や工場、公共施設などの床面を清掃する時は、図７に示すように開閉ゲートを開き、回転サイドブラシ５により回収物１４を車体中央に掻き寄せ、その回収物１４を、図１０に示すように回転メインブラシ４によりホッパー６内に掃き入れて集積する。ホッパー６内で舞い上がった粉塵は、ブロア１３により吸引されてホッパー６内を通過してフィルタ１０により回収される。浄化された空気は、図１０に示すようにブロア１３により吸引されて排気管１２ａを通って一部は回転メインブラシ４側に送給され、一部は車体本体１ａの後方に排出される。
【００１０】
清掃作業が終了してホッパー６内に集積した回収物１４を排出する時は、油圧シリンダ９により開閉ゲート８を閉め、図示しないアーム回動用シリンダによりアーム７を回動してホッパー６を上方に回動し、図８に示すように開閉ゲート８を下向きにして開閉ゲート８を開き、回収物１４を所定の場所に放出する。放出された回収物１４は、別の運搬手段により外部に捨てられる。
【００１１】
【発明が解決しようとする課題】
しかしながら、従来の清掃車では、ホッパーに集積した回収物を放出する際、回収物と一緒に大量の粉塵が放出されてしまい、環境衛生上好ましくないばかりか、放出された回収物の処置に手間がかかる。
【００１２】
本発明は、従来技術のかかる問題点に鑑み案出されたもので、ホッパーに集積した回収物を放出する際、ホッパーの開閉ゲートに回収物回収袋を取り付けて回収物回収袋内に回収物を放出し、回収袋で回収するようにして環境衛生の向上を図るとともに、回収物の回収作業効率の向上を図ることのできる清掃車を提供することを目的とする。
【００１３】
【課題を解決するための手段】
上記目的を達成するため、本発明の清掃車は、車輌本体の下部に取り付けられて路面などの回収物を車両進行方向前側に掻き上げる回転メインブラシと、該回転メインブラシの車両進行方向前側に取込口を介して接続するホッパーと、上記回転メインブラシによって掻き上げられた回収物をホッパーに吸い込んで集積させるようにホッパーの下流にフィルタを介して配置されるブロアと、該ブロアによって排出された排気風を上記回転メインブラシ側に戻すダクトとを備え、上記取込口に回収物を吸い込む時は開く開閉ゲートを設け、回収物を放出する時には開閉ゲートを閉じた状態でホッパーを上方に回動させる清掃車において、上記開閉ゲートに開口を設け、該開口の外面にじょうご状のシュートを設けるとともに、該シュートの外端にシャッターを設けたものである。
【００１４】
また、車両進行方向の前方側部に位置する回収物を車両幅方向中央に寄せるように回転メインブラシの車両進行方向前側に配置される回転サイドブラシを備えるのが好ましい。
【００１５】
ホッパー内に吸い込んだ回収物を放出する時、開閉ゲートおよびシャッターを閉めた状態でホッパーを上方に回動してシュートの外端を下方に向け、かつ、シュートの外端に回収物回収袋の口部を嵌めて固縛した後、シャッターのみを開いて回収物回収袋内に回収物を放出するようにするのが好ましい。
【００１６】
上記回収物回収袋は、通気性のある袋であるのが好ましい。
【００１７】
また、上記じょうご状のシュートの外端は円筒状であるのが好ましい。
【００１８】
次に本発明の作用を説明する。開閉ゲートに開口を設け、該開口の外面にじょうご状のシュートを設けるとともに、該シュートの外端にシャッターを設け、ホッパー内に吸い込んだ回収物を放出する時、開閉ゲートおよびシャッターを閉じた状態でホッパーを上方に回動してシュートの外端を下方に向け、かつ、シュートの外端に回収物回収袋の口部を嵌めて止め金具で固縛した後、シャッターのみを開いて回収物回収袋内に回収物を放出するようにしたので、回収物を放出する際に発生する大量の粉塵は、回収袋内に収容されて外部に放出されない。また、回収物を回収袋で回収するので、環境衛生上好ましく、放出された回収物の処置作業の向上を図ることができる。また、回収物回収袋は通気性のある袋なので、回収物を放出した際、空気が適当に逃げてくれるし、じょうご状のシュートの外端は円筒状なので、回収袋が取り付けやすい。
【００１９】
【発明の実施の形態】
以下、本発明の一実施形態について図面を参照しつつ説明する。図１は本発明の清掃車の側面図で、清掃車が清掃している状態を示す図である。図２は本発明の清掃車の側面図で、ホッパーを上方に回動した状態を示す図である。図３は本発明の清掃車の側面図で、ホッパーを上方に回動して収集した回収物を回収袋に収納した状態を示す図である。図４はシュートの部分拡大側面図である。図５はシュートに回収物回収袋を取り付けた状態を示す側面図である。図６はホッパーの概要図で、（Ａ）はホッパーの側面図、（Ｂ）はホッパーの断面図である。なお、図１ないし図６において、図７ないし図１０を用いて、従来のものとして説明したものと共通する部分については、同じ符号を付しており、重複する説明は省略する。
【００２０】
図１ないし図６において、１は清掃車で、１ａは清掃車１の車輌本体、１ｂは清掃車１の前方部分である。本発明の清掃車１は、車輌本体１ａの下部に取り付けられて路面などの回収物１４を車両進行方向前側に掻き上げる回転メインブラシ４と、該回転メインブラシ４の車両進行方向前側に取込口６ａを介して接続するホッパー６と、上記回転メインブラシ４によって掻き上げられた回収物１４をホッパー６に吸い込んで集積させるようにホッパー６の下流に集塵用フィルタ１０を介して配置されるブロア１３と、該ブロア１３によって排出された排気風を上記回転メインブラシ４側に戻すダクト１２ａとを備え、上記取込口６ａに回収物１４を吸い込む時は開く開閉ゲート８を設け、回収物１４を放出する時には開閉ゲート８を閉じた状態でホッパー６を上方に回動させる清掃車１において、上記開閉ゲート８に開口１８を設け、該開口１８の外面にじょうご状のシュート１９を設けるとともに、該シュート１９の外端２０にシャッター２１を設けたものである。
【００２１】
１８は開閉ゲート８に設けた開口である。じょうご状のシュート１９は、この開口１８の外面に設けられており、シュート１９の外端２０は、円筒状を形成している。また、外端２０の最外端には鉢巻状の突起２０ａを有している。シャッター２１は、図４および図５に示すように、シュート１９の外端２０に設けられており、レバー２２を手動によって倒したり起したりすることによって開閉するようになっている。開閉ゲート８およびシャッター２１は、ホッパー６を上方に回動する時は閉め、ホッパー６内の回収物１４を放出する時は、シャッター２１のみ開くようになっている。
【００２２】
２４は麻やポリプロピレン製の通気性のある回収物回収用袋で、土砂などの運搬に使用するものである。回収物１４を放出する際、ホッパー６を上方に回動してシュート１９の外端を下方に向け、作業者が回収物回収用袋２４の口部をシュート１９の外端２０の鉢巻状の突起２０ａに嵌め、円環状の止め金具２３、または紐などにより固縛する。固縛した後、シャッター２１を開いて回収物回収用袋２４内に回収物１４を放出する。
【００２３】
次に本実施形態の作用を説明する。開閉ゲート８に開口１８を設け、該開口１８の外面にじょうご状のシュート１９を設けるとともに、該シュート１９の外端にシャッター２１を設け、ホッパー６内に吸い込んだ回収物１４を放出する時、開閉ゲート８およびシャッター２１を閉めた状態でホッパー６を上方に回動してシュート１９の外端を下方に向け、かつ、シュート１９の外端に回収物回収袋２４の口部を嵌めて止め金具２３で固縛した後、シャッター２１のみを開いて回収物回収袋２４内に回収物１４を放出するようにしたので、回収物１４を放出する際に発生する大量の粉塵は、回収袋２４内に収容されて外部に放出されない。また、回収物１４を回収物回収袋２４で回収するので、環境衛生上好ましく、放出された回収物１４の処置作業の向上を図ることができる。また、回収物回収袋２４は通気性のある袋なので、回収物１４を放出した際、空気が適当に逃げてくれるので、袋内に一杯に回収分を詰め込むことができる。さらにシュート１９の外端は円筒状なので、回収物回収袋２４が取り付けやすい。
【００２４】
本発明は、以上述べた実施形態に限定されるものではなく、発明の要旨を逸脱しない範囲で種々の変更が可能である。
【００２５】
【発明の効果】
以上述べたように、本発明の清掃車は、開閉ゲートに開口を設け、該開口の外面にじょうご状のシュートを設けるとともに、該シュートの外端にシャッターを設け、ホッパー内に吸い込んだ回収物を放出する時、開閉ゲートおよびシャッターを閉めた状態でホッパーを上方に回動してシュートの外端を下方に向け、かつ、シュートの外端に回収物回収袋の口部を嵌めて固縛した後、シャッターのみを開いて回収物回収袋内に回収物を放出するようにしたので、回収物を放出する際に発生する大量の粉塵は、回収袋内に収容されて外部に放出されない。また、回収物を回収物回収袋で回収するので、環境衛生上好ましく、放出された回収物の処置作業の向上を図ることができるという優れた効果を奏する。
【図面の簡単な説明】
【図１】本発明の清掃車の側面図で、清掃車が清掃している状態を示す図である。
【図２】本発明の清掃車の側面図で、ホッパーを上方に回動した状態を示す図である。
【図３】本発明の清掃車の側面図で、ホッパーを上方に回動して収集した回収物を回収袋に収納した状態を示す図である。
【図４】シュートの部分拡大側面図である。
【図５】シュートに回収物回収袋を取り付けた状態を示す側面図である。
【図６】ホッパーの概要図で、（Ａ）はホッパーの側面図、（Ｂ）はホッパーの断面図である。
【図７】従来の清掃車の側面図で、清掃車が清掃している状態を示す図である。
【図８】従来の清掃車の側面図で、清掃車が収集した回収物を所定の場所に放出した状態を示す図である。
【図９】ホッパーの概要図で、（Ａ）はホッパーの側面図、（Ｂ）はホッパーの断面図である。
【図１０】清掃車の給排気の流れを示す図である。
【符号の説明】
１　　　清掃車
２　　　前輪
３　　　後輪
４　　　回転メインブラッシ
５　　　回転サイドブラッシ
６　　　ホッパー
７　　　アーム
８　　　開閉ゲート
９　　　ゲート開閉シリンダ
１０　　　フィルタ
１１、１２　　　給気ダクト
１２ａ　　排気ダクト
１３　　　ブロア
１４　　　回収物（ごみ）
１５　　　前方ラバープレート
１５ａ　　後方ラバープレート
１６　　　側面ラバープレート
１７　　　ばね
１８　　　開口
１９　　　シュート
２０　　　外端
２０ａ　　鉢巻状突起
２１　　　シャッター
２２　　　レバー
２３　　　円環状の止め金具
【図１】
2004052296.tif 000003
【図２】
2004052296.tif 000004
【図３】
2004052296.tif 000005
【図４】
2004052296.tif 000006
【図５】
2004052296.tif 000007
【図６】
2004052296.tif 000008
【図７】
2004052296.tif 000009
【図８】
2004052296.tif 000010
【図９】
2004052296.tif 000011
【図１０】
2004052296.tif 000012